(57)【要約】【課題】首、肩等の特定のツボ刺激が比較的容易にでき、かつ部品点数の少ない低コストの生体刺激装置を提案することを目的とする。【解決手段】圧電素子に衝撃を与えるための押圧部１０９と圧電素子機構１０３により発生した電気パルスを人体に与えるための刺激端子部を、同一もしくは電気的に一体化し、酸化チタンが被覆された押圧部１０９を皮膚等人体に押圧した際に、沈み込んで、バネを圧縮し、一定の沈み込み量となった際に、バネが開放され、バネに取り付けた重しが、圧電素子を衝撃して電気パルス発生し、その電気パルスが押圧部１０９から人体に伝わる様に構成されており、不必要な電気パルスが発生するのを防止する構造も有している。【選択図】図１
0003125378.tif 000002
【実用新案登録請求の範囲】
【請求項１】
少なくとも圧電素子に衝撃を与えるための押圧部と前記圧電素子により発生した電気パルスを人体に与えるための刺激端子部を有し、前記押圧部と前記刺激端子部が同一もしくは電気的に一体化されていることを特徴とする電気刺激器
【請求項２】
押圧部を皮膚等人体に押圧した際に、前記押圧部が沈み込んで、バネを圧縮し、一定の沈み込み量となった際に、前記バネが開放され、前記バネに取り付けた重しが、圧電素子を衝撃して電気パルス発生し、前記電気パルスが前記押圧部から人体に伝わる様に構成されていることを特徴とする電気刺激器
【請求項３】
少なくとも圧電素子に衝撃を与えるための押圧部と前記圧電素子により発生した電気パルスを人体に与えるための刺激端子部を有し、前記押圧部と前記刺激端子部が同一もしくは電気的に一体化されており、前記押圧部がグリップを介して両端に配置され、前記グリップが前記両端に配した前記刺激端子部と対を成す電極であることを特徴とする電気刺激器
【請求項４】
少なくとも圧電素子に衝撃を与えるための押圧部と前記圧電素子により発生した電気パルスを人体に与えるための刺激端子部を有し、前記押圧部と前記刺激端子部が同一もしくは電気的に一体化されており、一つ以上の前記押圧部が保持部材に保持されていると共に、前記保持部材が支持ロッドによって支えられ、前記支持ロッドは端部がグリップによって終端され、前記刺激端子部と電気的に対をなす電極が、前記グリップに形成されていることを特徴とする電気刺激器
【請求項５】
少なくとも圧電素子に衝撃を与えるための押圧部と前記圧電素子により発生した電気パルスを人体に与えるための刺激端子部を有し、前記押圧部と前記刺激端子部が同一もしくは電気的に一体化されていおり、一対もしくは複数の電気的に対になった前記押圧部が保持部材に保持されていることを特徴とする電気刺激器
【請求項６】
前記押圧部が導電基体であり、表面に酸化チタンをコーティングしたことを特徴とする請求項１から請求項５のいずれかに記載の電気刺激器
【請求項７】
前記刺激端子部に、押し込みを防止もしくは通電を防止する構造が備えられていることを特徴とする請求項１から請求項５のいずれかに記載の電気刺激器
【考案の詳細な説明】
【技術分野】
【０００１】
本考案は、圧電素子を用いた生体刺激装置に関するものである。
【背景技術】
【０００２】
従来、生体にパルス状の比較的高い電圧を与えて刺激を行うことで、筋肉、腱等の緊張を緩和し、肉体を健全な状態に戻すための様々な器具が提案されてきている。特に、電池やＡＣ１００Ｖ電源が不要な圧電素子を用いた電気刺激器具は、今日まで数々の提案がされているが、まだ効果、価格等の観点から見て、十分な需要に至っていない。
【０００３】
例えば、特許文献１は中空保持筒体後部の押圧部材を押圧することによって、圧電素子に衝撃を与え、永久磁石製蓋体の中央部の貫通孔を通して、圧電素子から発生する電圧により、導体の先端と人体の間で放電を発生させ、その刺激によって、睡魔を打ち破り、気分を壮快にできるという効果を唱っている。また特許文献２では、ペン後端の作動部材を押圧することで、ボールペン先に取り付けた蓋体に、圧電素子に衝撃を与えて発生させた電圧を導き、蓋体と皮膚との間で放電させて刺激するものである。また、特許文献３では電気伝導性の外部ケースと治療ヘッドの絶縁性を十分に行って刺激装置の効率を向上させる様に工夫されているが、基本的な構造は特許文献１および２と同等のものである。
【０００４】
従来のこの様な生体刺激装置は、圧電素子に衝撃を与えるための押圧部と皮膚に刺激を与える電極端子部が分離しており、親指等で押圧部を抑え、その反対側の先端で刺激をあたえるというものであった。そのため、肩や首などのツボに電極部を押し当てて、自己治療を行う場合には、電極部を皮膚に押し当てる動作と、押圧部を押す動作が互いに妨げあい、肩や首の位置によっては手が届かず、思った様に特定のツボを刺激するのは難しかった。また、押圧部と電極部を分離する構造であるために、部品点数が多くなり、コスト高にもなっていた。
【特許文献１】実願昭５７−０８８０５５
【特許文献２】実願昭６１−１６２３２５
【特許文献３】実願２００４−００３９３８
【考案の開示】
【考案が解決しようとする課題】
【０００５】
本考案は、首、肩等の特定のツボ刺激が比較的容易にでき、かつ部品点数の少ない低コストの生体刺激装置を提案することを目的としている。
【課題を解決するための手段】
【０００６】
本考案は、上記のような目的を達成し、従来の課題を解決するために、圧電素子に衝撃を与えるための押圧部と圧電素子により発生した電気パルスを人体に与えるための刺激端子部を、同一もしくは電気的に一体化することを手段とするものである。また、この構造は押圧部を皮膚等人体に押圧した際に、沈み込んで、バネを圧縮し、一定の沈み込み量となった際に、バネが開放され、バネに取り付けた重しが、圧電素子を衝撃して電気パルス発生し、その電気パルスが押圧部から人体に伝わる様に構成されており、押圧部表面には、滅菌や汗等の臭いを消す目的ために酸化チタンが被覆されている。また、不要な電気パルスが発生し、ショック等を受けることを防止するために、押圧部の押し込みや、発生した電圧パルスの通電を防止する構造も有している。また、両肩等に刺激を与えるため、押圧部を複数設け、各押圧部間をその電気的パルスが通り抜ける様になしたことも手段としている。
【考案の効果】
【０００７】
本考案の生体刺激装置は、圧電素子に衝撃を与えるための押圧部と皮膚に刺激を与える電極端子部を一体化もしくは同一部としているため、肩や首などのツボに電極部を押し当てて、自己治療を行う場合には、思った様に特定のツボを刺激することが可能になる。また、押圧部と電極部が一体構造でしかも、圧電素子機構のバネを利用して押し込み圧を緩和する方法を採用しているために、高い押圧効果を得ると共に、部品点数が少なく、コストも低減できるものである。また、押圧部間で電気的パルスが通り抜ける様にしたため、不要な部分に刺激を与えず、必要な箇所にのみ電気的な刺激を与えることができる。
【考案を実施するための最良の形態】
【０００８】
本考案は、従来分離して構成されていた圧電素子に衝撃を与えるための押圧部と皮膚に刺激を与える電極端子部を一体化し、押圧力を圧電素子機構のバネ力を利用する構造としており、押圧部を肩等のツボに押し当てたときに、押し当て力と電気パルスがツボに印加され、肩の筋肉が収縮、弛緩することによって、筋肉をほぐし、また押圧力の刺激によって、身体をより健康な状態に変化させるものである。以下具体的な構成を上げて、実施例にて考案を開示する。
【実施例１】
【０００９】
図１は、本考案装置の実施例１の透視断面図である。図1において、１０１は第１筐体、１０２は第２筐体、１０４は第３筐体である。第１筐体１０１、第２筐体１０２、第３筐体１０４は互いに、ネジ込み等の方法によって結合されており、少なくとも、第３筐体１０４は樹脂等の絶縁性の材料で形成されている。本実施例１においては、第１筐体１０１と第３筐体１０４を樹脂で形成し、第２筐体１０２はステンレスを材料としているが、アルミ等の金属を利用してもよい。第２筐体１０２の表面は滑り止め用にラチット加工が施されている。この第２筐体１０２は内部に仕切１１１を有し、ボールペンのインク芯を保持する役割と、圧電素子のアノード電極１０７を、第２筐体１０２と電気的に接触させる役割を有している。
【００１０】
圧電素子機構１０３は内部にバネと重しを有しており、押圧部１０９を介してロッド１０５を押し込むことで、バネの圧縮と急激な開放が起き、重しが圧電素子を衝撃し、高いパルス電圧を発生する。この機構は既に、電子ライター等で用いられているものを利用して用いられる。内部の圧電素子のカソード側からは電極線１０８が伸び、この電極線１０８は押圧部１０９に電気的に接続されている。この押圧部１０９は、導電性材料で作られており、第３筐体１０４の端部に可動性を有して、取り付けられている。この押圧部１０９はそれ故、圧電素子のカソードから導かれた電圧パルスを人体に伝える刺激部となっている。もちろん場合によって、圧電素子のカソードとアノードを逆にして良いことは当然である。
【００１１】
この押圧部１０９は、本実施例１ではステンレスを材料として用い、表面に酸化チタンを塗布している。本考案では酸化チタンは、酸化チタンペーストを塗布した後焼成を行って用いているが、蒸着、スパッタ等の方法を用いても良い。太陽光や蛍光灯等の紫外線のもとに放置することで、酸化チタンの作用によって、先端が滅菌されて、常に清潔に保たれ、汗等の臭いも消すことができる。また、本実施例１では押圧部１０９の反対側がボールペンになっており、不用意に押圧部１０９を押し込んで、刺激が生じることを避けるため、押し込み防止用のキャップ１１０が取り付けられている。本実施例１ではキャップ１１０を採用しているが、ロッド１０５の動きを制限する、ラチット機構を設けても良い。
【００１２】
本実施例１を実施することによって、ボールペンによって書き物を行いながら、手を持ち代えることなく、肩のツボを押圧と電気刺激によってほぐすことができるため、肩こり等の防止が容易になる。また、構造が簡単であるため、非常に低コストでの製作が可能になる。
【実施例２】
【００１３】
図２は、本考案装置の実施例２の透視断面図である。図２において、２０１はグリップであり、２つの筐体２０２と２０３がネジ込み等の方法で取り付けられ、その両端に押圧部２０６と２０７を配置している。押圧部２０６と２０７はそれぞれ、ロッド２１５と２１６を押し込む構造をもち、圧電素子機構２０４、２０５により電圧パルスを発生する。グリップ部は圧電素子機構２０４、２０５の押圧部２０６、２０７に印加される電圧の極と対応する電極２１３、２１４を隔壁２１２によって保持しており、圧電素子機構２０４、２０５で発生する電圧パルスは微弱電流となって電極線２０８、２０９を伝って、押圧部２０６もしくは２０７にて人体に刺激を与えた後、グリップ２０１に戻って来るのである。
【００１４】
このグリップ部は、本実施例２ではステンレス製であるが、導電性があれば良い。また本実施例２では、グリップ２０１、押圧部２０６、２０７共に酸化チタン膜をコーティングしている。しかしながら、抗菌性や脱臭性を重んじる必要がない場合は、何らコーティング処理は必要がないことは言うまでもない。
【００１５】
本実施例２ではグリップを設けその両端に刺激部（押し込み部）を設けているため、力が入りやすく、左右の肩、首等の刺激が容易であり実施例１の効果に加えて、強い押圧力にて、押圧刺激の効果を高める事ができる。また、足の裏等の刺激では、グリップ部を持って両足の裏を同時に刺激できるため、非常に刺激効果が高い。
【実施例３】
【００１６】
図３は、本考案装置の実施例３の透視断面図である。圧電素子機構や押圧部の基本的な構造と作用は実施例１に示したものと同じであり、左右対称構造となっいるため、片方のみを用いて説明を行う。図３において、保持部材３０１には、支持ロッド３０２が両端に取り付けられ、支持ロッド３０２にはグリップ３０３が取り付けられている。グリップ３０３は電極線３０４によって、電気的に押圧部３０７と繋がっている。押圧部３０７を押さえつけることにより、圧電素子機構３０６から電圧パルスが発生し、押圧部３０７に伝わり、首等のツボを刺激し、電流は体内を通り、グリップ３０３から電極線３０４を伝わって圧電素子機構３０６に戻る。グリップ３０３は少なくとも一部が導電性であり、グリップを握った際に、手との電気的な導通が行われる。電極線３０４は絶縁スイッチ３０５によって、導通を遮断できる様になっており、押圧だけで肩をもみたい時などは、スイッチを絶縁状態にする。支持ロッド３０２は弾力性のある材料を用い、押圧時に身体に適度な加重がかかるようにされている。
【００１７】
本実施例３では、両腕で肩、首等を押圧し、同時に電気刺激を与える構造になっているため、実施例１の効果に加えて、両手での支持ロッドの弾力押圧による快適性が加わり、肩こり等への効果が高い。
【実施例４】
【００１８】
図４は、本考案装置の実施例４の透視断面図である。圧電素子機構や押圧部の基本的な構造と作用は実施例１に示したものと同じであり、構造的には実施例３と同じである。しかし、本実施例４では、両方の押圧部の、電極が逆になっており、いずれかの押圧部から人体に伝わった電流は、他方の押圧部から圧電素子に戻る構造になっている。
【００１９】
つまり、刺激部と一体になった押圧部４０７を肩等に押し当てて、押圧すると、圧電素子機構４０６によって高いパルス電圧が発生し、押圧部４０７から人体に伝わる。一方他方の押圧部４０９はバネ４１０によって、押し込まれる様になっている。押圧部４０９はバネ４１０を通って、電極４１１と導通しており、絶縁スイッチ４０１を介して、電極線４０５によって、圧電素子機構４０６の押圧部４０７と逆の電極と導通している。そのため、グリップ４０３を持って、首等に押圧部４０７、４０９を押しつけると、圧電素子機構４０６で発生した高電圧の微弱電流パルスは、人体を押圧部４０７から押圧部４０９もしくはその逆にながれる。グリップ４０３が支持ロッド４０２に取り付けられ、支持ロッドが保持部材４０４に取り付けられている構造は、実施例３と同じである。
【００２０】
圧電素子機構で発生した電圧パルスによる電流は押圧部から手に抜けて行くのではなく、左右の押圧部間をながれる。そのため、手への刺激がなく、電流がより快適にツボ刺激が可能になる。また、肩等を刺激する際に、電流が心臓近くをよぎることがないため、非常に安全である。
【産業上の利用可能性】
【００２１】
押圧と電気刺激を同時に行うことのできる電気刺激器であるために、首、肩、足の裏等に本装置を用いることによって非常の有効に体調への改善効果を実現できる健康器具として用いることができる。
【図面の簡単な説明】
【００２２】
【図１】本考案による電気刺激器の透過断面説明図である。（実施例１）
【図２】本考案による電気刺激器の透過断面説明図である。（実施例２）
【図３】本考案による電気刺激器の透過断面説明図である。（実施例３）
【図４】本考案による電気刺激器の透過断面説明図である。（実施例４）
【符号の説明】
【００２３】
１０１    第１筐体
１０２    第2筐体
１０３、２０４、２０５、３０６、４０６    圧電素子機構
１０４    第3筐体
１０５    ロッド
１０８、２０８、２０９    電極線
１０９、２０６、２０７、３０７、４０７    押圧部
【図１】
0003125378.tif 000003
【図２】
0003125378.tif 000004
【図３】
0003125378.tif 000005
【図４】
0003125378.tif 000006